(57)【特許請求の範囲】
【請求項１】
下地材（４）と、該下地材（４）の上面に配設され該下地材（４）の上面に外囲面を形成する外囲板（８）（５４）と、前記外囲面に固定又は係止され差し込み口（１７）（６２）を有する取付金具（１４）（６０）と、前記外囲面上に複数配置されたソーラーパネルなどのパネル状構造物（２８）と、前記パネル状構造物（２８）の縁部を保持するための係止部と前記差し込み口（１７）（６２）に挿入される取付水平部（４０ａ）（５２ｄ）とを有する押え板（４０）（５２）とを備え、前記係止部は、前記取付水平部（４０ａ）（５２ｄ）が一体的に形成された垂直部（４０ｃ）（５２ｂ）と、該垂直部（４０ｃ）（５２ｂ）の上部に一体的に形成された上位水平部（４０ｄ）（５２ｃ）と、前記パネル状構造物（２８）の縁の上面を押える帯板（４２）とを有し、該帯板（４２）は、前記上位水平部（４０ｄ）（５２ｃ）に対して脱着可能に固定され、前記帯板（４２）をパネル状構造物（２８）の上面から取り去ることができるようにしたことを特徴とする外囲体。
【請求項２】
前記押え板（４０）（５２）をパネル状構造物（２８）に一体的に固設したことを特徴とする請求項１記載の外囲体。
【請求項３】
外囲板（８）（５４）によって形成される外囲面に固定又は係止可能な取付部（１４ｂ）（６０ａ）と差し込み口（１７）（６２）が形成された平板受部（１４ａ）（６０ｃ）とが形成された取付金具（１４）（６０）と、パネル状構造物（２８）の縁部を保持するための係止部と前記差し込み口（１７）（６２）に挿入可能な取付水平部（４０ａ）（５２ｄ）とを有する押え板（４０）（５２）とから成り、前記係止部は、前記取付水平部（４０ａ）（５２ｄ）が一体的に形成された垂直部（４０ｃ）（５２ｂ）と、該垂直部（４０ｃ）（５２ｂ）の上部に一体的に形成された上位水平部（４０ｄ）（５２ｃ）と、前記パネル状構造物（２８）の縁の上面を押える帯板（４２）とを有し、該帯板（４２）は、前記上位水平部（４０ｄ）（５２ｃ）に対して脱着可能に固定され、前記帯板（４２）をパネル状構造物（２８）の上面から取り去ることができるようにしたことを特徴とする外囲面上にパネル状構造物を取り付ける装置。
【請求項４】
前記押え板（４０）（５２）をパネル状構造物（２８）に一体的に固設したことを特徴とする請求項３に記載の外囲面上にパネル状構造物を取り付ける装置。
【請求項５】
長尺帯状の平板部（８ａ）の左右両側に前記平板部（８ａ）に対して垂直な立ち上り部（８ｃ）（８ｇ）を有する複数の外囲板（８）を、下地材（４）上で、隣接する外囲板（８）（８）の立ち上り部（８ｃ）（８ｇ）を合接した状態で接合するようにした外囲体において、前記外囲板（８）の一側の立ち上がり部（８ｃ）の上端に、該立ち上がり部（８ｃ）に対して外側に略９０度屈折した所定幅の第１の上位水平部（８ｄ）を形成し、該第１の上位水平部（８ｄ）の側端にこれに対して下向きに略９０度を超えない範囲で所定角度傾斜した所定幅の第１の傾斜部（８ｅ）を形成し、該第１の傾斜部（８ｅ）の端部にＵ字状の引掛部（８ｆ）を屈折形成し、前記外囲板（８）の他側の立ち上り部（８ｇ）の下端に下地材（４）に固定するための所定幅の取付平板部（８ｊ）を前記平板部（８ａ）の同一延長平面上に形成し、前記他側の立ち上がり部（８ｇ）の上端に前記第１の上位水平部（８ｄ）より若干幅挟の、前記他側の立ち上がり部（８ｇ）に対して内側に略９０度屈折した第２の上位水平部（８ｈ）を形成し、該第２の上位水平部（８ｈ）の側端にこれに対して下向きに略９０度を超えない範囲で所定角度傾斜した前記第１の傾斜部（８ｅ）より若干幅挟の第２の傾斜部（８ｉ）を形成し、前記外囲板（８）の取付平板部（８ｊ）を前記下地材（４）に固定した後、他の外囲板（８）の引掛部（８ｆ）を前記下地材（４）に固定した外囲板（８）の第２の傾斜部（８ｉ）に係合して隣接する一対の外囲板（８）（８）を互いに接合し、前記一対の外囲板（８）（８）の第１と第２の傾斜部（８ｅ）（８ｉ）が合接する部分に、Ｕ字状のスライド係合部（１４ｂ）と差し込み口（１７）が形成された平板受部（１４ａ）とが形成された取付金具（１４）の前記スライド係合部（１４ｂ）を嵌合し、前記外囲板（８）の立ち上がり部（８ｃ）（８ｇ）上にパネル状の構造物（２８）を載置し、前記差し込み口（１７）にパネル状構造物（２８）の縁部を保持するための係止部（３０）（３２）を有する押え板（２４）（２６）の取付水平部（２４ａ）（２６ａ）を挿入し、前記パネル状構造物（２８）の縁部を前記係止部（３０）（３２）に係合し、前記外囲板（８）の立ち上がり部（８ｃ）（８ｇ）上に前記パネル状構造物（２８）を保持するようにしたことを特徴とする外囲体。
【請求項６】
前記押え板（２４）（２６）をパネル状構造物（２８）に一体的に固設したことを特徴とする請求項５に記載の外囲体。
【発明の詳細な説明】
【０００１】
【発明の属する技術分野】
本発明は、飾り板あるいは、太陽電池モジュールパネルなどのパネル状構造物を取り付けた屋根あるいは外壁などの外囲体及び外囲面上にパネル状構造物を取り付ける装置に関する。
【０００２】
【従来の技術】
飾り板やソーラーパネル（太陽電池モジュールパネル）などのパネル状構造物を外囲板に取り付けた屋根や外壁が従来知られている。これらのパネル状構造物は、直接ビスなどの止着具によって外囲板に固定されるか、あるいは、パネル状構造物側と外囲板側に、取付けのための特殊な構造を備えている。
【０００３】
【発明が解決しようとする課題】
パネル状構造物を外囲板に直接ビス止めすると、パネル状構造物を安定的に外囲面に保持させることができないという問題点があった。
また、パネル状構造物側と外囲板側との取付に溶接などの作業を伴う場合があり、簡単に，外囲板に化粧板、ソーラーパネルなどのパネル状構造物を取り付けることができないという問題点があった。
本発明は、上記問題点を解決することを目的とするものである。
【０００４】
【課題を解決するための手段】
上記目的を達成するため、本発明は、下地材（４）と、該下地材（４）の上面に配設され該下地材（４）の上面に外囲面を形成する外囲板（８）（５４）と、前記外囲面に固定又は係止され差し込み口（１７）（６２）を有する取付金具（１４）（６０）と、前記外囲面上に複数配置されたソーラーパネルなどのパネル状構造物（２８）と、前記パネル状構造物（２８）の縁部を保持するための係止部（３０）（３２）（６８ａ）（７０ａ）と前記差し込み口（１７）（６２）に挿入される取付水平部（２４ａ）（２６ａ）（３４ａ）（３６ａ）（３８ａ）（４０ａ）（５２ｄ）（６８ｂ）（７０ｂ）とを有する押え板（２４）（２６）（３４）（３６）（３８）（４０）（５２）（６８）（７０）とを備えたものである。
また、前記押え板（２４）（２６）（３４）（３６）（３８）（４０）（５２）（６８）（７０）をパネル状構造物（２８）に一体的に固設したものである。
【０００５】
更に、上記目的を達成するため、本発明は、外囲板（８）（５４）によって形成される外囲面に固定又は係止可能な取付部（１４ｂ）（６０ａ）と差し込み口（１７）（６２）が形成された平板受部（１４ａ）（６０ｃ）とが形成された取付金具（１４）（６０）と、パネル状構造物（２８）の縁部を保持するための係止部（３０）（３２）（６８ａ）（７０ａ）と前記差し込み口（１７）（６２）に挿入可能な取付水平部（２４ａ）（２６ａ）（３４ａ）（３６ａ）（３８ａ）（４０ａ）（５２ｄ）（６８ｂ）（７０ｂ）とを有する押え板（２４）（２６）（３４）（３６）（３８）（４０）（５２）（６８）（７０）とから外囲面上にパネル状構造物を取り付ける装置を構成したものである。
【０００６】
更に、上記係止部は、前記取付水平部（４０ａ）（５２ｄ）が一体的に形成された垂直部（４０ｃ）（５２ｂ）と前記パネル状構造物（２８）の縁の上面を押える上位水平部（４２ａ）（４２ｂ）を有し、該上位水平部（４２ａ）（４２ｂ）は、前記垂直部（４０ｃ）（５２ｂ）に対して脱着可能に固定され、前記上位水平部（４２ａ）（４２ｂ）をパネル状構造物（２８）の上面から取り去ることができるようにしたものである。
更に、前記取付部は、Ｕ字状のスライド係合部（１４ｂ）を備え、該スライド係合部（１４ｂ）を長尺状の複数の外囲板（８）の立ち上がり部（８ｃ）（８ｇ）が接合する縦はぜ部（１５）にスライド自在に嵌合し得るようにしたものである。
【０００７】
更に、上記目的を達成するため、本発明は、長尺帯状の平板部（８ａ）の左右両側に前記平板部（８ａ）に対して垂直な立ち上り部（８ｃ）（８ｇ）を有する複数の外囲板（８）を、下地材（４）上で、隣接する外囲板（８）（８）の立ち上り部（８ｃ）（８ｇ）を合接した状態で接合するようにした外囲体において、前記外囲板（８）の一側の立ち上がり部（８ｃ）の上端に、該立ち上がり部（８ｃ）に対して外側に略９０度屈折した所定幅の第１の上位水平部（８ｄ）を形成し、該第１の上位水平部（８ｄ）の側端にこれに対して下向きに略９０度を超えない範囲で所定角度傾斜した所定幅の第１の傾斜部（８ｅ）を形成し、該第１の傾斜部（８ｅ）の端部にＵ字状の引掛部（８ｆ）を屈折形成し、前記外囲板（８）の他側の立ち上り部（８ｇ）の下端に下地材（４）に固定するための所定幅の取付平板部（８ｊ）を前記平板部（８ａ）の同一延長平面上に形成し、前記他側の立ち上がり部（８ｇ）の上端に前記第１の上位水平部（８ｄ）より若干幅挟の、前記他側の立ち上がり部（８ｇ）に対して内側に略９０度屈折した第２の上位水平部（８ｈ）を形成し、該第２の上位水平部（８ｈ）の側端にこれに対して下向きに略９０度を超えない範囲で所定角度傾斜した前記第１の傾斜部（８ｅ）より若干幅挟の第２の傾斜部（８ｉ）を形成し、前記外囲板（８）の取付平板部（８ｊ）を前記下地材（４）に固定した後、他の外囲板（８）の引掛部（８ｆ）を前記下地材（４）に固定した外囲板（８）の第２の傾斜部（８ｉ）に係合して隣接する一対の外囲板（８）（８）を互いに接合し、前記一対の外囲板（８）（８）の第１と第２の傾斜部（８ｅ）（８ｉ）が合接する部分に、Ｕ字状のスライド係合部（１４ｂ）と差し込み口（１７）が形成された平板受部（１４ａ）とが形成された取付金具（１４）の前記スライド係合部（１４ｂ）を嵌合し、前記外囲板（８）の立ち上がり部（８ｃ）（８ｇ）上にパネル状の構造物（２８）を載置し、前記差し込み口（１７）にパネル状構造物（２８）の縁部を保持するための係止部（３０）（３２）を有する押え板（２４）（２６）の取付水平部（２４ａ）（２６ａ）を挿入し、前記パネル状構造物（２８）の縁部を前記係止部（３０）（３２）に係合し、前記外囲板（８）の立ち上がり部（８ｃ）（８ｇ）上に前記パネル状構造物（２８）を保持するようにしたものである。
【０００８】
【発明の実施の形態】
以下に本発明の実施の形態を添付した図面を参照して詳細に説明する。
図４において、（８）は屋根や外壁板として用いられる外囲板であり、ステンレスなどの横幅約４０センチメートルの長尺帯状の金属板により構成されている。外囲板（８）の平板部（８ａ）の一側には、略４５度の傾斜部分（８ｂ）を介して、平板部（８ａ）に対して直角な高さ約５センチメートルの立ち上り部（８ｃ）が外囲板（８）の全長にわたって形成されている。
【０００９】
この立ち上り部（８ｃ）の上端には、該立ち上り部（８ｃ）に対して外側に９０度屈折した略２センチメートル幅の上位水平部（８ｄ）が一体的に外囲板（８）の全長にわたって形成されている。前記上位水平部（８ｄ）の側端には、この上位水平部（８ｄ）に対して、下向きに略６０度傾斜した傾斜部（８ｅ）が一体的に形成され、該傾斜部（８ｅ）の下端には、Ｕ字状に内側に屈曲された引掛部（８ｆ）が一体的に形成されている。
【００１０】
外囲板（８）の他方の側部には、二重構造の立ち上り部（８ｇ）が前記立ち上り部（８ｃ）よりも約１ミリメートル低い高さで前記平板部（８ａ）に対して直角に形成されている。該立ち上り部（８ｇ）の上端には、該立ち上り部（８ｇ）に対して内側に９０度屈折した二重構造の上位水平部（８ｈ）が一体的に外囲板（８）の全長にわたって形成されている。前記上位水平部（８ｈ）の横幅は、一方の上位水平部（８ｄ）の横幅よりも若干（約３ミリメートル）短く設定されている。
【００１１】
前記上位水平部（８ｈ）には、その中央部に全長にわたって凹溝（１０）が屈曲形成されている。前記立ち上り部（８ｇ）の内側部分（８ｇ１）の下部には、前記傾斜部分（８ｂ）と対称的に傾斜部分（８ｂ）が形成されている。前記上位水平部（８ｈ）の側端には、この上位水平部（８ｈ）に対して下向きに略６０度傾斜した二重構造の傾斜部（８ｉ）が形成され、該傾斜部（８ｉ）の開放側端部において、外囲板（８）が３６０度折り返されている。
【００１２】
前記傾斜部（８ｅ）（８ｉ）の上位水平部（８ｄ）（８ｈ）に対する傾斜角度は、９０度を超えない範囲で任意の値を選択することができる。
前記立ち上り部（８ｇ）の外側部分（８ｇ２）の下端には、これに対して外側に９０度屈折され、前記平板部（８ａ）と同一延長平面上に位置する取付平板部（８ｊ）が一体的に形成されている。
上記実施形態では、一枚の金属板を屈折、屈曲して立ち上り部（８ｃ）（８ｇ）、上位水平部（８ｄ）（８ｈ）、傾斜部（８ｅ）（８ｊ）、引掛部（８ｆ）を形成しているが、アルミニウムなどを成型してこれらの形状を一体形成するようにしても良い。
【００１３】
次に、複数の外囲板を屋根の下地材上で、順次接合する動作について図５を参照して説明する。
屋根などの下地材（４）上にこれに敷設されたアスファルトルーフィングなどの防水シート（１２）の上から外囲板（８）を載置し、取付平板部（８ｊ）を、釘などの止着具（１１）によって、下地材（４）に固定する。次に、接合すべき他の外囲板（８）を、下地材（４）に固定された外囲板（８）の隣に配置し、その平板部（８ａ）を傾かせた状態で引掛部（８ｆ）を、固定側外囲板（８）の傾斜部（８ｉ）に引掛ける（図５Ａ参照）。
【００１４】
引掛部（８ｆ）を、固定側外囲板（８）の傾斜部（８ｉ）に引掛けた状態で、フリー側の外囲板（８）を、その平板部（８ａ）が、下地材（４）に接近する方向に、回動し（図２ｂ参照）、フリー側外囲板（８）を、その平板部（８ａ）が下地材（４）の上面に載置するまで下降すると、フリー側の外囲板（８）の傾斜部（８ｅ）、上位水平部（８ｄ）及び立ち上り部（８ｃ）は、それぞれ、対応する固定側外囲板（８）の、傾斜部（８ｉ）、上位水平部（８ｈ）及び立ち上り部（８ｇ）に接合する（図５Ｃ参照）。
【００１５】
上記の動作によって、複数の外囲板（８）を、下地材（４）上に順次接合することができる。一対の外囲板（８）（８）の接合部分は、縦はぜ部（１５）を構成し、該縦はぜ部（１５）は、傾斜部（８ｉ）と引掛部（８ｆ）が係合しているため、互いに強固に結合する。引掛部（８ｆ）のＵ字状のわん曲部分は、接合部分からの雨水の浸入を防ぐ。しかも、万が一、引掛部（８ｆ）から水が入っても、毛細管現象による内部方向への水の浸入を、凹溝（１０）によって遮断することができ、雨水が外囲板（８）の平板部（８ａ）の下面に達するのを防止することができる。
【００１６】
次に、本発明の外囲板を用いた屋根に、ソーラーパネルなどの構造物を取り付ける実施の形態について説明する。
図１において、（４）は屋根あるいは外壁の下地材であり、これの上面に、複数の外囲板（８）が接合配置されている。（１４）は鋼板などの金属から成る取付金具であり、図３に示すように、差し込み口（１７）が形成された平板受部（１４ａ）と、該平板受部（１４ａ）に対して下向きに略６０度傾いたＵ字状のスライド係合部（１４ｂ）と、垂下部（１４ｃ）と、平板受け部（１４ａ）の延長下面と所定の間隔を在して平行に対向する規制部（１４ｄ）とを備えている。前記差し込み口（１７）は、平板受部（１４ａ）の平板部分（１８）（２０）と、これの上面に対して段差を有して平行に形成された支持舌片（２２）とから構成されている。
【００１７】
（２４）（２６）は、押え板であり、鋼材などの金属から構成されている。押え板（２４）は、取付水平部（２４ａ）と、垂直部（２４ｂ）と、上位水平部（２４ｃ）とを有している。押え板（２６）は、取付用水平部（２６ａ）と、二枚に重ねた下位水平部（２６ｂ）と、垂直部（２６ｃ）と、上位水平部（２６ｄ）を有している。前記下位水平部（２６ｂ）には垂直支持部（２６ｅ）が一体的に形成され、上位水平部（２６ｄ）には、ゴミ除けのカバー部（２６ｆ）が一体的に形成されている。前記押え板（２４）の垂直部及び上位水平部（２４ｃ）は、太陽電池モジュールパネルなどのパネル状構造物（２８）の縁部を保持するための係止部（３０）を構成し、同様に、前記押え板（２６）の下位水平部（２６ｂ）、垂直部（２６ｃ）及び上位水平部（２６ｄ）は、パネル状構造物の縁を保持するための係止部（３２）を構成している。
【００１８】
次に、外囲板（８）の立ち上り部の上部に構造物（２８）を取り付ける作業について説明する。
一対の外囲板（８）（８）の縦はぜ部（１５）の端部から、構造物（２８）の数に応じて所要数の取付金具（１４）のスライド係合部（１４ｂ）を、縦はぜ部（１５）にスライド自在に嵌合する。同様の作業によって、他の外囲板（８）の縦はぜ部（１５）に、所要数の取付金具（１４）のスライド係合部（１４ｂ）を嵌合配置する。図２に示すように、取付金具（１４）のスライド係合部（１４ｂ）が、一対の外囲板（８）（８）の傾斜部（８ｅ）（８ｉ）の合接部分に嵌合した状態において、垂下部（１４ｃ）は、外囲板（８）立ち上り部（８ｇ）の側面に密着し、規制部（１４ｄ）は、上位水平部（８ｈ）の下面に水平に密着あるいは近接対向する。該状態において一対の外囲板（８）（８）の縦はぜ部（１５）は、スライド係合部（１４ｂ）からの締付力により、ガタが除去され、しっかりと結合される。前記スライド係合部（１４ｂ）は、外囲板に取り付けるための取付部（１４ｂ）を構成している
【００１９】
次に、各外囲板（８）（８）の縦はぜ部（１５）上に複数の構造物（２８）を互いに若干の間隔を存して載置する。次に、一対の押え板（２４）（２６）を、互いの取付水平部（２４ａ）（２６ａ）を合わせた状態で、図１に示すように、取付金具（１４）の差し込み口（１７）に圧入する。このとき、取付金具（１４）の平板受部（１４ａ）に載置されている構造物（２８）の縁部に、押え板（２４）の係止部（３０）を係合する。次に、押え板（２６）の係止部（３２）に、隣接する構造物（２８）の縁部を係合し、隣接する一対の構造物（２８）（２８）の対向する縁部を、押え板（２４）（２６）の係止部（３０）（３２）によって保持する。該状態において、押え板（２６）の垂直支持部（２６ｅ）は、縦はぜ部（１５）の上端に載置され、カバー部（２６ｆ）は、一対の押え板（２４）（２６）の接合部分を覆い、ここからゴミが落下しないようにする。
【００２０】
複数の構造物（２８）のうち、他の構造物と隣接しない縁部は、図８（Ｂ）（Ｃ）に，示すような、片側専用の押え板（３４）（３６）によって保持する。これら押え板（３４）（３６）の取付水平部（３４ａ）（３６ａ）は、取付金具（１４）の差し込み口（１７）に単独で適合し得るように、厚く構成されている。なお、スペーサーを用いて片側専用の押え板（３４）（３６）の取付水平部（３４ａ）（３６ａ）を、取付金具（１４）の差し込み口（１７）に圧入し得るようにしても良い。
【００２１】
図６に示すように、複数の構造物（２８）は、押え板（２４）（２６）及び取付金具（１４）を介して、各外囲板（８）の立ち上がり部（８ｃ）（８ｇ）の縦はぜ部（１５）に取り付けられる。
上記押え板（２４）（２６）は、図８（Ａ）に示すように、一枚の金属板により一体的に形成しても良い。この押え板（３８）には、取付水平部（３８ａ）、垂直部（３８ｂ）（３８ｃ）、上位水平部（３８ｄ）（３８ｅ）、カバー部（３８ｆ）、垂直支持部（３８ｇ）が一体的に形成されている。本発明の実施に際し、取付金具（１４）の差し込み口（１７）は、図９に示すように、平板受部（１４ａ）の図３に示す配設側とは反対側に設けることができる。
【００２２】
図９において、押え板（４０）は、取付水平部（４０ａ）、下位水平部（４０ｂ）、垂直部（４０ｃ）、第１の上位水平部（４０ｄ）、該第１の上位水平部（４０ｄ）にビス止めされた帯板（４２）とから成り、前記下位水平部（４０ｂ）には、凸条（４４）と、垂直支持部（４６）が形成され、前記第１の上位水平部（４０ｄ）には、ストッパー片（４８）が形成されている。前記帯板（４２）の、下位水平部（４０ｂ）の直上に配置される部分は、第２の上位水平部（４２ａ）を構成している。
【００２３】
上記した構成において、図１０に示すように、外囲板（８）の縦はぜ部（１５）に取り付けられた取付金具（１４）の差し込み口（１７）に押え板（４０）の取付水平部（４０ａ）を圧入し、ストッパー片（４８）、下位水平部（４０ｂ）及び第２の上位水平部（４２ａ）とからなる係止部によって、一対の隣接するパネル状構造物（２８）のうちの一方の構造物（２８）の縁部を保持し、他方の構造物（２８）の縁部を垂直部（４０ｃ）及び第１の上位水平部（４０ｄ）とからなる係止部によって保持し、外囲板（８）の縦はぜ部（１５）上に、押え板（４０）及び取付金具（１４）を介して、パネル状構造物（２８）を保持する。ビス（５０）を緩めると、帯板（４２）を垂直部（４０ｃ）から外すことができる。従って、複数のパネル状構造物（２８）のうちの一つが損壊し、これを取り外す場合、所望のパネル状構造物（２８）を保持する帯板（４２）を外すことで、全ての他の構造物（２８）を水平方向にずらすことなく、所望のパネル状構造物のみをあるいは、隣接するパネル状構造物のみを取り外すことで、所望のパネル状構造物を外囲板上から取り外すことができる。
【００２４】
押え板（２４）（２６）（３４）（３６）（３８）（４０）の長さは、図６に示すように、複数のパネル状構造物（２８）の縁部にまたがった長尺状のものでも、あるいは、パネル状構造物（２８）の長さよりも短いものでも良く、それらの寸法は特に限定されるものではない。
本実施形態では、ボルトなどの止着具を一切用いることなく、外囲板（８）の縦はぜ部（１５）に、パネル状構造物（２８）を押え板（２４）（２６）及び取付金具（１４）を介して、取り付けることができる。尚、図１１，１２に示すように、押え板（５２）の下位水平部（５２ａ）と垂直部（５２ｂ）と、第１の上位水平部（５２ｃ）とでコ字状の係止部を構成し、帯板（４２）の第２の上位水平部（４２ｂ）と垂直部（５２ｂ）とで係止部を構成し、垂直部（５２ｂ）の両側に、構造物（２８）（２８）を保持するようにしても良い。図中、（５２ｂ）は、取付水平部である。
【００２５】
次に本発明の他の実施の形態を、図７を参照して詳細に説明する。
（４）は建物の屋根の合板などからなる下地材であり、Ｃチャンネル鋼などからなる母屋により支持されている。前記下地材（４）の上面には、アスファルトルーフィングなどの防水シートが敷き設され、その上に、横に長い複数の金属製の板材から成る外囲板（５４）が並列に隣接配置されている。前記外囲板（５４）の側部の引掛係止部（５４ａ）は、ビスなどの止着具（５６）によって下地材（４）に固定された吊子（５８）に係合し、この吊子（５８）と引掛係止部（５４ａ）との接合部に隣接する他の外囲板（５４）の他側部の嵌合部（５４ｂ）が嵌合し、複数の外囲板（５４）が、建物の棟から軒先にかけて、互いに接合され、下地材（４）上に横葺き屋根を構成している。
【００２６】
図７において屋根は、水平方向に対して左方向に傾き、雨水が図中、右から左に向けて流れるように構成されている。（６０）は、外囲板（８）上に、パネル状構造物を取り付けるための取付金具であり、全体が帯状の鋼板などの金属により構成され、取付部（６０ａ）と、立ち上り部（６０ｂ）と、平板受部（６０ｃ）とを備えている。平板受け部（６０ｃ）には、平板受部（６０ｃ）の一部とＬ型の支持舌片（６０ｄ）とにより差し込み口（６２）が形成されている。
【００２７】
前記取付金具（６０）は、外囲板（５４）上に、その長手方向即ち棟に沿った複数の軸線上に所要数配置され、取付金具（６０）の各々の取付部（６０ａ）は、防水パッキン（６４）を介して、外囲板（５４）の上から、ビスなどの止着具（６６）によって、下地材（４）に固着されている。（６８）（７０）は、一対の押え板であり、一方の押え板（６８）は、側面コ字状の係止部（６８ａ）と取付水平部（６８ｂ）を有し、他方の押え板（７０）は、側面横Ｌ字状の係止部（７０ａ）と、取付水平部（７０ｂ）を有している。
【００２８】
押え板（６８）（７０）の取付水平部（６８ｂ）（７０ｂ）が、取付金具（６０）の差し込み口（６２）に脱着自在に圧入され、各々の係止部（６８ａ）（７０ａ）が、隣接するパネル状構造物（２８）の縁部を保持している。
前記差し込み口（６２）には、保持するパネル状構造物（２８）の縁部の態様即ち、縁部が左右に隣接配置されているか、あるいは、一つの縁部のみかによって、図７に示す押え板（６８）（７０）あるいは、図８（Ｂ）（Ｃ）に示される押え板（３４）（３６）が挿入される。
【００２９】
上記実施形態において、押え板（２４）（２６）（３４）（３６）（３８）（４０）（５２）（６８）（７０）は、いずれも太陽電池モジュールパネルなどのパネル状構造物（２８）とは別体に構成したが、押え板（２４）（２６）（３４）（３６）（３８）（４０）（５２）（６８）（７０）を、パネル状構造物（２８）に一体的に固設しても良い。この場合、係止部（３０）（３２）の上位水平部（２４ｃ）（２６ｄ）は省略することができる。このようにパネル状構造物と押え板とを一体構造とすることにより、外囲面にパネル状構造物を取り付ける機構のコストダウンを図ることが可能となる。
【００３０】
【発明の効果】
本発明は上述の如く構成したので、外囲板にソーラーパネルや化粧板などの構造物を簡単に取付且つ取り外すことが出きる効果が存する。
【図面の簡単な説明】
【図１】図６のＢ−Ｂ線断面図である。
【図２】図１のＡ−Ａ線断面図である。
【図３】本発明の分解傾斜図である。
【図４】外囲板の外観図である。
【図５】本発明の説明図である。
【図６】外囲体の外観図である。
【図７】本発明の他の実施の形態を示す外観説明図である。
【図８】押え板の断面説明図である。
【図９】本発明の他の実施の形態を示す分解傾斜図である。
【図１０】本発明の他の実施の形態を示す断面図である。
【図１１】本発明の他の実施の形態を示す分解傾斜図である。
【図１２】本発明の他の実施の形態を示す断面図である。
【符号の説明】
４        下地材
８        外囲板
１０      凹溝
１１      止着具
１２      防水シート
１５      縦はぜ部
１４      取付金具
１４ａ    平板受部
１７      差し込み口
１４ｂ    スライド係合部（取付部）
１４ｃ    垂下部
１８      平板部分
２０      平板部分
２２      支持舌片
２４      押え板
２６      押え板
２４ａ    取付水平部
２４ｂ    垂直部
２４ｃ    上位水平部
２６ａ    取付用水平部
２６ｂ    下位水平部
２６ｃ    垂直部
２６ｄ    上位水平部
２６ｅ    垂直支持部
２６ｆ    カバー部
２８      パネル状構造物
３０      係止部
３２      係止部
３４      押え板
３６      押え板
３８      押え板
４０      押え板
４０ａ    取付水平部
４０ｂ    下位水平部
４０ｃ    垂直部
４０ｄ    第１の上位水平部
４２      帯板
４２ａ    第２の上位水平部
４４      凸条
４６      垂直支持部
４８      ストッパー片
５０      ビス
５２      押え板
５４      外囲板
５６      止着具
５８      吊子
６０      取付金具
６０ａ    取付部
６０ｂ    立ち上り部
６０ｃ    平板受部
６０ｄ    支持舌片
６２      差し込み口
６４      防水パッキン
６６      止着具
６８      押え板
７０      押え板
６８ａ    係止部
６８ｂ    取付水平部
７０ａ    係止部
【図１】
0004155639.tif 000002
【図２】
0004155639.tif 000003
【図３】
0004155639.tif 000004
【図４】
0004155639.tif 000005
【図５】
0004155639.tif 000006
【図６】
0004155639.tif 000007
【図７】
0004155639.tif 000008
【図８】
0004155639.tif 000009
【図９】
0004155639.tif 000010
【図１０】
0004155639.tif 000011
【図１１】
0004155639.tif 000012
【図１２】
0004155639.tif 000013